(57)【要約】      （修正有）【課題】標本における観察対象面の深さ方向の位置や励起波長を変えながら画像を取得する場合において、補正機構による収差の補正を容易にすることができる顕微鏡システムを提供する。【解決手段】対物レンズ２９と、対物レンズ２９により照射されるレーザ光を標本Ｓ上で走査させる走査部２１と、球面収差を補正する補正機構と、標本Ｓと対物レンズ２９との相対位置およびレーザ光または標本Ｓからの観察光の波長を操作者が入力する入力部７と、波長ごとに、相対位置と補正機構の最適値との関係を示す補間関数を記憶する記憶部９と、補正機構を制御する制御装置１１とを備え、制御装置１１が、レーザ光の波長の切り替えおよび走査部２１の動作の少なくとも一方に同期して、記憶部９に記憶されている補間関数に基づいて、入力部７により入力された相対位置および波長に対応する最適値を算出し、算出した最適値に従って補正機構を制御する顕微鏡システム１である。【選択図】図１
2019148617.tif 000002
【特許請求の範囲】
【請求項１】
光源から発せられた照明光を標本に照射する対物レンズと、
該対物レンズにより照射される前記照明光を前記標本上で走査させる走査部と、
球面収差を補正する補正機構と、
前記標本と前記対物レンズとの相対位置、および、前記照明光または前記標本からの観察光の波長を操作者が入力する入力部と、
前記波長ごとに、前記相対位置と前記補正機構の所定の設定値との関係を示す関数を記憶する記憶部と、
前記補正機構を制御する制御装置とを備え、
前記所定の設定値が、前記相対位置および前記波長に応じて生じる前記球面収差を前記補正機構によって補正した状態にあるときの前記補正機構の設定値であり、
前記制御装置が、前記照明光の前記波長の切り替えおよび前記走査部の動作の少なくとも一方に同期して、前記記憶部に記憶されている前記関数に基づいて、前記入力部により入力された前記相対位置および前記波長に対応する前記所定の設定値を算出し、算出した該所定の設定値に従って前記補正機構を制御する顕微鏡システム。
【請求項２】
前記対物レンズが、光軸方向に移動可能な１または複数の光学系を内部に有し、
前記補正機構が、前記対物レンズに光軸回りに回転可能に取り付けられ、前記光軸回りの回転角に応じて１または複数の前記光学系を前記光軸方向に移動させる補正環を備え、
前記所定の設定値が、前記補正環の前記光軸回りの回転角を示す請求項１に記載の顕微鏡システム。
【請求項３】
前記所定の設定値が、前記標本の画像に対してコントラスト評価法または明るさ評価法を用いて算出される評価値が最大となるときの前記補正機構の設定値である請求項１または請求項２に記載の顕微鏡システム。
【請求項４】
前記制御装置が、前記波長ごとに、互いに異なる複数の前記相対位置と各該相対位置に対応する前記所定の設定値との複数の組み合わせに基づいて、補間によって前記関数を算出する関数算出部を備え、
前記記憶部が、前記関数算出部によって算出された前記関数を記憶する請求項１から請求項３のいずれかに記載の顕微鏡システム。
【発明の詳細な説明】
【技術分野】
【０００１】
本発明は、顕微鏡システムに関するものである。
【背景技術】
【０００２】
従来、レーザ顕微鏡において、カバーガラス厚に起因する球面収差を補正する手段として、補正環が知られている（例えば、特許文献１参照。）。補正環は、その機能が対物レンズに付加されており、以前は手動で調整するものであった。しかしながら、観察対象面を標本の深さ方向に変えながら画像を取得していく場合において、観察対象面の深さに応じて変化する球面収差を補正するために、観察対象面の深さを変える度に補正環を手動で調整するのは極めて面倒であり時間もかかる。特許文献１に記載の補正環は、電動で駆動するものであり、操作者が対物レンズまで手を伸ばさなくても、手元で電動操作手段により補正環を操作することができる。
【先行技術文献】
【特許文献】
【０００３】
【特許文献１】特開２０１３−２０２５４号公報
【発明の概要】
【発明が解決しようとする課題】
【０００４】
しかしながら、補正環の駆動を電動にしたとしても、観察対象面の深さを変える度に補正環を調整するのは面倒である。また、励起波長が複数ある場合やＴｉＳａ（チタンサファイア）レーザの波長を変えた場合においては、励起波長が変化することによっても球面収差が発生するため、励起波長を変えたら補正環の補正値も変更しないと画質が低下してしまう。そのため、標本における観察対象面の深さ方向の位置や励起波長を変えながら画像を取得する場合において、操作者が補正環を操作して球面収差を補正するのは、効率的ではないという問題がある。
【０００５】
本発明は上述した事情に鑑みてなされたものであって、補正機構による収差の補正を容易にすることができる顕微鏡システムを提供することを目的としている。
【課題を解決するための手段】
【０００６】
上記目的を達成するために、本発明は以下の手段を提供する。
本発明の一態様は、光源から発せられた照明光を標本に照射する対物レンズと、該対物レンズにより照射される前記照明光を前記標本上で走査させる走査部と、球面収差を補正する補正機構と、前記標本と前記対物レンズとの相対位置、および、前記照明光または前記標本からの観察光の波長を操作者が入力する入力部と、前記波長ごとに、前記相対位置と前記補正機構の所定の設定値との関係を示す関数を記憶する記憶部と、前記補正機構を制御する制御装置とを備え、前記所定の設定値が、前記相対位置および前記波長に応じて生じる前記球面収差を前記補正機構によって補正した状態にあるときの前記補正機構の設定値であり、前記制御装置が、前記照明光の前記波長の切り替えおよび前記走査部の動作の少なくとも一方に同期して、前記記憶部に記憶されている前記関数に基づいて、前記入力部により入力された前記相対位置および前記波長に対応する前記所定の設定値を算出し、算出した該所定の設定値に従って前記補正機構を制御する顕微鏡システムである。
【０００７】
本態様によれば、光源から発せられた照明光が走査部により走査され、対物レンズにより標本に照射される。これにより、標本から発せられる観察光に基づいて標本の画像を取得することによって、標本を観察することができる。
【０００８】
この場合において、標本と対物レンズとの相対位置および照明光の波長に応じて球面収差が生じるが、制御装置により、照明光の波長の切り替えおよび走査部の動作の少なくとも一方に同期して、記憶部に記憶されている関数に基づいて算出される補正機構の所定の設定値に従って、補正機構が制御される。これにより、補正機構が入力部により入力された相対位置および波長に対応する所定の設定値に設定されることによって、球面収差が補正される。したがって、照明光の波長を切り替えたり標本と対物レンズとの相対位置を変更したりする場合であっても、操作者が補正機構を操作することなく補正機構により球面収差を補正することができ、補正機構による収差の補正を容易にすることができる。
【０００９】
上記態様においては、前記対物レンズが、光軸方向に移動可能な１または複数の光学系を内部に有し、前記補正機構が、前記対物レンズに光軸回りに回転可能に取り付けられ、前記光軸回りの回転角に応じて１または複数の前記光学系を前記光軸方向に移動させる補正環を備え、前記所定の設定値が、前記補正環の前記光軸回りの回転角を示すこととしてもよい。
【００１０】
この構成によって、補正環の光軸回りの回転角を調整するだけで、対物レンズの内部に設けられている１または複数の光学系が光軸方向に移動することによって、球面収差が補正される。したがって、制御装置により制御する補正機構を簡易な構成で実現することができる。
【００１１】
上記態様においては、前記所定の設定値が、前記標本の画像に対してコントラスト評価法または明るさ評価法を用いて算出される評価値が最大となるときの前記補正機構の設定値であってもよい。
この構成によって、一般的に知られている評価法により、球面収差が補正された状態にあるときの補正機構の所定の設定値を容易に決めることができる。
【００１２】
上記態様においては、前記制御装置が、前記波長ごとに、互いに異なる複数の前記相対位置と各該相対位置に対応する前記所定の設定値との複数の組み合わせに基づいて、補間によって前記関数を算出する関数算出部を備え、前記記憶部が、前記関数算出部によって算出された前記関数を記憶することとしてもよい。
【００１３】
この構成によって、補正機構を駆動する前に、関数算出部により、予め関数を算出してからその関数を記憶部に記憶させておくだけで、制御装置による補正機構の駆動制御を実現することができる。
【発明の効果】
【００１４】
本発明によれば、補正機構による収差の補正を容易にすることができるという効果を奏する。
【図面の簡単な説明】
【００１５】
【図１】本発明の一実施形態に係る顕微鏡システムの概略構成図である。
【図２】操作者が指示を入力する入力受付画面の一例を示す図である。
【図３】補正環の回転角と標本の画像に対する評価値との関係の一例を示すグラフである。
【図４】標本に対する対物レンズの相対位置と補正環の最適値との関係の一例を示すグラフである。
【図５】レーザ光の波長ごとの補間関数の一例を示すグラフである。
【図６】図１の顕微鏡システムにより補間関数を算出する手順を説明するフローチャートである。
【図７】図１の顕微鏡システムにより標本の画像を取得する手順を説明するフローチャートである。
【図８】操作者が指示を入力する入力受付画面の他の一例を示す図である。
【図９】標本に対する対物レンズの相対位置と補正環の最適値との関係の一例を示すグラフである。
【図１０】同一の観察対象面においてレーザ光の波長ごとに画像を取得する様子を説明する図である。
【図１１】同一の観察対象面においてレーザ光の波長ごとに画像を取得することを観察対象面ごと順に繰り返す様子を説明する図である。
【図１２】図１の顕微鏡システムにより標本の画像を取得する別の手順を説明するフローチャートである。
【図１３】同一の波長により観察対象面ごとに画像を取得する様子を説明する図である。
【図１４】同一の波長により観察対象面ごとに画像を取得することを波長ごとに順に繰り返す様子を説明する図である。
【発明を実施するための形態】
【００１６】
本発明の一実施形態に係る顕微鏡システムについて図面を参照して以下に説明する。
本実施形態に係る顕微鏡システム１は、図１に示すように、レーザ光（照明光）を発生する光源ユニット３と、標本Ｓの画像を取得する顕微鏡装置５と、操作者により操作されるユーザインタフェース等の入力部７と、各種情報を記憶する記憶部９と、光源ユニット３および顕微鏡装置５を制御する制御装置１１とを備えている。
【００１７】
光源ユニット３としては、例えば、多波長レーザ光源が用いられる。光源ユニット３は、互いに異なる波長のレーザ光を発生する複数の光源部１３Ａ，１３Ｂ・・・１３Ｚ（以下、光源部１３Ａ，１３Ｚを例示して説明する。）と、光源部１３Ｚから発せられたレーザ光を反射する反射ミラー１５と、光源部１３Ｚから発せられたレーザ光の光路と光源部１３Ａから発せられたレーザ光の光路とを合成するダイクロイックミラー１７とを備えている。
【００１８】
ダイクロイックミラー１７は、光源部１３Ａから発せられたレーザ光を顕微鏡装置５に向けて透過させる一方、反射ミラー１５により反射された光源部１３Ｚからのレーザ光を顕微鏡装置５に向けて反射する。
【００１９】
顕微鏡装置５は、標本Ｓを載置するステージ１９と、光源ユニット３からのレーザ光を２次元的に走査する走査部２１と、走査部２１により走査されたレーザ光を集光する瞳投影レンズ２３および結像レンズ２５と、瞳投影レンズ２３および結像レンズ２５によって集光されたレーザ光をステージ１９に向けて反射する反射ミラー２７と、反射ミラー２７により反射されたレーザ光を標本Ｓに照射する一方、標本Ｓにおいて発生する蛍光（観察光）を集光する対物レンズ２９とを備えている。
【００２０】
また、顕微鏡装置５は、反射ミラー２７により反射されたレーザ光を対物レンズ２９に向けて透過させる一方、対物レンズ２９により集光された蛍光を反射することによってレーザ光の光路から分岐させるダイクロイックミラー３１と、ダイクロイックミラー３１によって反射された蛍光をリレーするリレーレンズ３３Ａ，３３Ｂと、リレーレンズ３３Ａ，３３Ｂによってリレーされた蛍光を検出する光電子増倍管等の検出器３５とを備えている。以下、対物レンズ２９の光軸方向をＺ方向とし、Ｚ方向に直交し、かつ、互いに直交する方向をＸ方向およびＹ方向とする。
【００２１】
ステージ１９は、例えば、図示しないステッピングモータやピエゾアクチュエータ等の駆動部を備えている。このステージ１９は、標本Ｓを搭載した状態でＺ方向に移動することができる。ステージ１９がＺ方向に移動することによって、標本Ｓに対する対物レンズ２９の相対位置をＺ方向に変化させることができる。
【００２２】
走査部２１は、例えば、互いに交差する揺動軸回りに揺動可能な一対のガルバノミラー（図示略）を備えている。この走査部２１は、一対のガルバノミラーをラスタスキャン方式で駆動させることによって、標本Ｓ上においてレーザ光を２次元的に走査させることができる。なお、走査部２１は、一対のガルバノスキャナに限定されるものでなく、レゾナントミラー等を採用したものであってもよい。
【００２３】
対物レンズ２９は、光軸方向に移動可能な１または複数の光学系（いずれも図示略）を内部に有している。この対物レンズ２９には、光軸回りに回転可能に取り付けられた補正環３７と、補正環３７を光軸回りに回転させるモータ等の補正駆動装置３９とが設けられている。補正環３７は、光軸回りの回転角に応じて、対物レンズ２９の１または複数の光学系を光軸方向に移動させる。これら補正環３７および補正駆動装置３９により、球面収差を補正する補正機構が構成される。
【００２４】
入力部７は、図２に示すような入力受付画面７ａにおいて、操作者により、標本Ｓに対する対物レンズ２９の相対位置（μｍ）を示す相対位置指示（例えば、Ｚ１，Ｚ２・・・。）、および、レーザ光の波長（ｎｍ）を示す照明波長指示（例えば、λ１，λ２・・・。）が入力される。
【００２５】
記憶部９は、レーザ光の波長ごとに、標本Ｓに対する対物レンズ２９の相対位置と補正環３７の最適な回転角（所定の設定値）との関係を示す補間関数（関数）を記憶する。補正環３７の最適な回転角とは、標本Ｓに対する対物レンズ２９の相対位置およびレーザ光の波長に応じて生じる球面収差を補正環３７によって補正した状態にあるときの補正環３７の回転角をいう。以下、補正環３７の最適な回転角を補正環３７の最適値という。
【００２６】
制御装置１１は、光源ユニット３、入力部７、記憶部９、ステージ１９、走査部２１および補正駆動装置３９と接続されたインタフェース回路と、各種プログラム等を記憶するＨＤＤ（Hard  Disk  Drive）等の補助記憶部と、該補助記憶部に記憶されている各種プログラムを実行するＣＰＵ（Central  Processing  Unit）と、前記補助記憶部から読み出されるプログラムを一時的に記憶するＲＡＭ（Random  Access  Memory）等（いずれも図示略）を備えている。
【００２７】
この制御装置１１は、機能によって、関数算出部４１と同期制御部４３とに分けられる。これら関数算出部４１および同期制御部４３は、ＣＰＵが補助記憶部からプログラムをＲＡＭに読み出してから、読み出したプログラムを実行することにより、種々の処理を実現する。
【００２８】
具体的には、関数算出部４１は、最適値決定プログラムの実行により、補正環３７の回転角ごとに、標本Ｓの画像に対してコントラスト評価法または明るさ評価法を用いて評価値を算出する。そして、関数算出部４１は、図３に示すように、レーザ光の波長ごとに、算出した評価値が最大となるときの補正環３７の回転角（例えば、図３においてθ１。）を、その画像が取得された標本Ｓに対する対物レンズ２９の相対位置（例えば、図３においてＺ１。）に対応する補正環３７の最適値として決定する。関数算出部４１によって決定された標本Ｓに対する対物レンズ２９の相対位置とその相対位置に対応する補正環の最適値との組み合わせは、記憶部９により記憶される。
【００２９】
また、関数算出部４１は、補間関数算出プログラムの実行により、図４および図５に示すように、レーザ光の波長ごとに、標本Ｓに対する対物レンズ２９の複数の相対位置と各相対位置に対応する補正環３７の最適値との複数の組み合わせに基づいて、補間によって補間関数を算出する。関数算出部４１によって算出されたレーザ光の波長ごとの補間関数は、記憶部９により記憶される。
【００３０】
また、関数算出部４１は、最適値算出プログラムの実行により、記憶部９に記憶されている補間関数に基づいて、入力部７により入力された標本Ｓに対する対物レンズ２９の相対位置およびレーザ光の波長に対応する補正環３７の最適値を算出する。
【００３１】
同期制御部４３は、同期プログラムの実行により、レーザ光の波長の切り替え、走査部２１の駆動、補正駆動装置３９の駆動および標本Ｓに対する対物レンズ２９の相対位置の調整を同期して制御する。そして、同期制御部４３は、入力部７により入力された標本Ｓに対する対物レンズ２９の相対位置およびレーザ光の波長に応じて、レーザ光の波長の切り替えおよび走査部２１の動作の少なくとも一方に同期して、関数算出部４１により算出された最適値に従って補正環３７を制御する。具体的には、同期制御部４３は、レーザ光の波長を切り換える場合、および、標本Ｓにおける観察対象面のＺ方向の位置を変更する場合の少なくとも一方に同期して、補正環３７の光軸回りの回転角を調整する。同期制御部４３は、走査部２１による１ライン走査ごとに水平同期信号を出力するとともに、走査部２１による１フレーム走査ごとに垂直同期信号を出力してもよい。そして、同期制御部４３は、この垂直同期信号を用いて補正環３７を制御することとしてもよい。
【００３２】
上記構成の顕微鏡システム１の作用について、図６および図７のフローチャートを参照して説明する。
本実施形態に係る顕微鏡システム１により標本Ｓを観察する場合は、図６のフローチャートに従って、補間関数を算出する。まず、ステージ１９に標本Ｓを載置したら、ステージ１９を駆動することによって、標本Ｓとステージ１９との界面に対物レンズ２９の焦点を合わせる（ステップＳＡ１）。
【００３３】
次いで、操作者が、図２に示すように、入力部７により、標本Ｓに対する対物レンズ２９の相対位置（例えば、Ｚ１、Ｚ２、Ｚ３。）およびレーザ光の波長（例えば、λ１、λ２、λ３。）を入力する（ステップＳＡ２）。
【００３４】
次いで、制御装置１１の同期制御部４３により、入力部７により入力された最初の波長を光源ユニット３から発生させることによって、スキャンを開始する（ステップＳＡ３）。光源ユニット３から発せられたレーザ光は、走査部２１により走査された後、瞳投影レンズ２３および結像レンズ２５により集光される。そして、レーザ光は、反射ミラー２７により反射されてダイクロイックミラー３１を透過した後、対物レンズ２９により標本Ｓに照射される。これにより、走査部２１の駆動に応じて、標本Ｓ上でレーザ光が２次元的に走査される。
【００３５】
レーザ光が照射されることにより標本Ｓにおいて発生した蛍光は、対物レンズ２９により集光されてレーザ光の光路を戻り、ダイクロイックミラー３１により反射された後、リレーレンズ３３Ａ，３３Ｂを経由して、検出器３５により検出される。これにより、検出器３５によって検出された蛍光の強度に基づいて、標本Ｓの画像を生成することができる。
【００３６】
次いで、制御装置１１の関数算出部４１により、生成した標本Ｓの画像に対して、補正環３７の回転角ごとに評価値が算出される。そして、図３に示すように、評価値が最大となる補正環３７の回転角が最適値として決定される（ステップＳＡ４）。補正環３７の最適値が決定されると、この標本Ｓの画像が取得された標本Ｓに対する対物レンズ２９の相対位置と、決定した補正環３７の最適値との組み合わせが、記憶部９により記憶される（ステップＳＡ５）。
【００３７】
次いで、入力部７により次の相対位置が入力されているので（ステップＳＡ６「ＹＥＳ」）、制御装置１１により、ステージ１９が駆動されることによって次の相対位置に移動される（ステップＳＡ７）。そして、ステップＳＡ４およびステップＳＡ５が実施される。同様にして、入力部７により入力されている残りの相対位置についても、ステップＳＡ４およびステップＳＡ５が実施される。
【００３８】
これにより、最初の波長について、入力部７により入力された相対位置ごとに補正環３７の最適値が取得される。この場合において、標本Ｓの屈折率により、標本Ｓにおける対物レンズ２９の焦点位置の深さ、すなわち、標本Ｓにおける観察対象面のＺ方向の位置に応じて球面収差が変化するため、標本Ｓに対する対物レンズ２９の相対位置ごとに、補正環３７の最適値が異なる。
【００３９】
そして、入力部７により入力された全ての相対位置において補正環３７の最適値が取得されると（ステップＳＡ６「ＮＯ」）、制御装置１１の関数算出部４１により、最初の波長について、図４に示すように、記憶部９に記憶されている相対位置と補正環３７の最適値との複数の組み合わせに基づいて補間関数が算出される。そして、算出した補間関数が記憶部９により記憶される（ステップＳＡ８）。
【００４０】
次いで、入力部７により次の波長が入力されているので（ステップＳＡ１０「ＹＥＳ」）、制御装置１１により、次の波長に変更される（ステップＳＡ９）。そして、ステップＳＡ３〜ＳＡ８が実施される。同様にして、入力部７により入力されている残りの波長についても、ステップＳＡ３〜ＳＡ８が実施される。これにより、入力部７により入力された全ての波長について、補間関数が取得される。
【００４１】
次に、図７のフローチャートに従って、標本Ｓの画像を取得する。まず、操作者が、図８に示すように、入力部７により、標本Ｓの観察対象範囲とレーザ光の波長（例えば、λ１、λ２、λ３。）を入力する（ステップＳＢ１）。標本Ｓの観察対象範囲としては、例えば、Ｚ方向のスキャンの開始位置「start」（μｍ）、Ｚ方向のスキャンの終了位置「end」（μｍ）、および、画像ごとの標本Ｓに対する対物レンズ２９の相対位置間の距離「step」（μｍ）を入力する。
【００４２】
次いで、制御装置１１の同期制御部４３により、入力部７により入力された最初の波長が設定されるとともに、ステージ１９が駆動されることによって最初の観察対象面のＺ位置に移動する。そして、制御装置１１の関数算出部４１により、図９に示すように、記憶部９により記憶されている補間関数に基づいて、最初の波長および最初の観察対象面に対応する補正環３７の回転角が算出される（ステップＳＢ２）。
【００４３】
次いで、制御装置１１の同期制御部４３により、関数算出部４１によって算出された回転角に従って補正駆動装置３９が制御される。これにより、補正環３７の光軸回りの回転角が、最初の波長および最初の観察対象面に対応する最適値に合わせられる（ステップＳＢ３）。そして、走査部２１が駆動され、最初の観察対象面における標本Ｓの画像が取得される（ステップＳＢ４）。この場合において、補正環３７が、補間関数から算出される回転角に合わせられることによって、球面収差が補正された高画質の画像を取得することができる。
【００４４】
次いで、入力部７により次の波長が入力されているので（ステップＳＢ５「ＹＥＳ」）、制御装置１１により、次の波長に変更された後（ステップＳＢ６）、最初の観察対象面において、ステップＳＢ２〜ＳＢ４が実施される。同様にして、入力部７により入力されている残りの波長についても、ステップＳＢ２〜ＳＢ４が実施される。これにより、図１０に示すように、同一の観察対象面において、レーザ光の波長ごとに画像が取得される。
【００４５】
そして、入力部７により入力されている全ての波長について、最初の観察対象面の画像が取得されると（ステップＳＢ５「ＮＯ」）、次の観察対象面がある場合は（ステップＳＢ７「ＹＥＳ」）、制御装置１１の同期制御部４３によりステージ１９が駆動されることによって、次の観察対象面のＺ位置に移動される（ステップＳＢ８）。そして、次の観察対象面において、ステップＳＢ２〜ＳＢ５が実施される。これにより、図１１に示すように、同一の観察対象面においてレーザ光の波長ごとに画像が取得されることが、観察対象面ごとに順に繰り返される。そして、全ての観察対象面について、波長ごとの画像が取得されると（ステップＳＢ７「ＮＯ」）、標本Ｓの画像取得が終了する。
【００４６】
以上説明したように、本実施形態に係る顕微鏡システム１によれば、制御装置１１により、レーザ光の波長の切り替え、走査部２１の駆動、補正駆動装置３９の駆動および標本Ｓに対する対物レンズ２９の相対位置の調整が同期して制御され、複数の観察対象面について波長ごとに取得された複数の画像によって構成される最適なＸＹλ―Ｚ画像を取得することができる。
【００４７】
この場合において、標本Ｓに対する対物レンズ２９の相対位置およびレーザ光の波長に応じて球面収差が生じるが、制御装置１１により、レーザ光の波長の切り替えおよび走査部２１の動作の少なくとも一方に同期して、記憶部９に記憶されている補間関数に基づいて算出される補正環３７の最適値に従って、補正環３７が制御される。これにより、補正環３７が、入力部７により入力された相対位置および波長に対応する最適値に設定されることによって、球面収差が補正された高画質の画像を取得することができる。したがって、レーザ光の波長を切り換えたり標本Ｓに対する対物レンズ２９の相対位置を変更したりする場合において、操作者が補正環３７を操作することなく補正環３７により球面収差を補正することができ、補正環３７による収差の補正を容易にすることができる。
【００４８】
本実施形態は以下のように変形することができる。
本実施形態においては、図７のフローチャートに示すように、同一の観察対象面において、入力部７により入力された全ての波長について標本Ｓの画像を取得してから、次の観察対象面に移動していくこととした。これに代えて、同一の波長により、入力部７によって入力された全ての観察対象面について標本Ｓの画像を取得してから、次の波長に変更していくこととしてもよい。
【００４９】
この場合、図１２のフローチャートに示すように、入力部７により入力された最初の波長により、入力部７により入力された最初の観察対象面の画像が取得された後（ステップＳＢ１〜ＳＢ４）、次の観察対象面がある場合は（ステップＳＢ５´「ＹＥＳ」）、制御装置１１により、波長を変えずに次の観察対象面のＺ位置に移動されることとすればよい（ステップＳＢ６´）。そして、移動後の観察対象面において、最初の波長により、ステップＳＢ２〜ＳＢ４が実施されることとすればよい。これにより、図１３に示すように、同一の波長により、観察対象面ごとに画像が取得される
【００５０】
そして、入力部７により入力されている全ての観察対象面について、最初の波長によって画像が取得されると（ステップＳＢ５´「ＮＯ」）、入力部７により次の波長が入力されている場合は（ステップＳＢ７´「ＹＥＳ」）、制御装置１１により、次の波長に変更されることとすればよい（ステップＳＢ８´）。そして、変更後の波長により、ステップＳＢ２〜ＳＢ６´が実施されることとすればよい。次の波長に変更する際には、観察対象面のＺ位置を初期の位置、すなわち、最初の観察対象面のＺ位置まで戻す。これにより、図１４に示すように、同一の波長により観察対象面ごとに画像が取得されることが、波長ごとに順に繰り返される。そして、全ての波長について、観察対象面ごとに画像が取得されたら（ステップＳＢ７´「ＮＯ」）、標本Ｓの画像取得を終了することとすればよい。この変形例によっても、本実施形態と同様の効果を奏する。
【００５１】
本変形例においては、次の波長に変更するごとに、１つ前の波長における最後の観察対象面のＺ位置から最初の観察対象面のＺ位置に向かって、観察対象面のＺ位置を逆方向に移動していくこととしてもよい。すなわち、波長を変更するごとに、観察対象面を移動する方向を逆方向に切り換えることとしてもよい。こうすることによって、次の波長に変更する際に観察対象面を初期の位置まで戻す必要がないため、時間の節約になる。
【００５２】
以上、本発明の実施形態について図面を参照して詳述してきたが、具体的な構成はこの実施形態に限られるものではなく、本発明の要旨を逸脱しない範囲の設計変更等も含まれる。例えば、本発明を上記実施形態および変形例に適用したものに限定されることなく、これらの実施形態および変形例を適宜組み合わせた実施形態に適用してもよく、特に限定されるものではない。
【００５３】
また、例えば、上記実施形態においては、対物レンズ２９と標本Ｓとの相対位置として、ステージ１９をＺ方向に移動させることによって、標本Ｓに対する対物レンズ２９の相対位置を変更することとしたが、これに代えて、対物レンズ２９をＺ方向に移動させることによって、標本Ｓに対する対物レンズ２９の相対位置を変更することとしてもよい。
【００５４】
また、入力部７により入力する標本Ｓと対物レンズ２９との相対位置は、標本Ｓとステージ１９との界面を１つ決めて、その位置を０とするものであってもよいし、顕微鏡システム１自体が有する絶対位置を用いるものであってもよい。また、入力部７により入力する標本Ｓと対物レンズ２９との相対位置は、操作者が数値を直接入力することとしてもよいし、操作者の指示に従って、制御装置１１によって自動で入力されることとしてもよい。自動で入力される場合は、相対位置を細かく設定する精度優先としてもいいし、相対位置を粗く設定する速度優先としてもよい。
【００５５】
また、入力部７により入力する波長は、操作者が数値を直接入力する方式を採用することとしてもよいし、用意してある波長を表示しておき、操作者がその中から所望の波長を選択するチェックボックスの方式を採用することとしてもよい。また、入力部７によりレーザ光の波長を入力することに代えて、入力部７により蛍光の波長を入力することとしてもよい。
【符号の説明】
【００５６】
１        顕微鏡システム
７        入力部
９        記憶部
１１      制御装置
２１      走査部
２９      対物レンズ
３７      補正環
４１      関数算出部
Ｓ        標本
【図１】
2019148617.tif 000003
【図２】
2019148617.tif 000004
【図３】
2019148617.tif 000005
【図４】
2019148617.tif 000006
【図５】
2019148617.tif 000007
【図６】
2019148617.tif 000008
【図７】
2019148617.tif 000009
【図８】
2019148617.tif 000010
【図９】
2019148617.tif 000011
【図１０】
2019148617.tif 000012
【図１１】
2019148617.tif 000013
【図１２】
2019148617.tif 000014
【図１３】
2019148617.tif 000015
【図１４】
2019148617.tif 000016